(57)【要約】【課題】露出コア部の分解を抑制することができる機能を持たせたリアクトル用ボビンを提供する。【解決手段】リアクトル用ボビン１は、内側コア部の外周を覆う筒部Ｃと、コイルの端面と露出コア部との間に介在される枠部Ｆ１，Ｆ２とを有する。このリアクトル用ボビン１は、一方の露出コア部側に配される第一枠部Ｆ１を含む第一分割片１１と、他方の露出コア部側に配される第二枠部Ｆ２を含む第二分割片１２とを組み合わせてなる。各分割片１１，１２は、組み合わされる分割片１１，１２同士を係合する係合部１１０，１２０を備え、両係合部１１０，１２０はそれぞれ、組み合わされる分割片１１，１２同士を筒部Ｃの軸方向に分離する力が加えられたとき、互いに当接し合うことで、その力に抗する係合面１１１，１２２を有する。【選択図】図３
2011198847.tif 000002
【特許請求の範囲】
【請求項１】
互いに並列状態に連結される一対のコイルと、各コイルに覆われる内側コア部及び各コイルに覆われることなく露出する露出コア部を有する環状コアとを備えるリアクトルに用いられて、環状コアとコイルとの絶縁を確保するリアクトル用ボビンであり、前記内側コア部の外周を覆う筒部と、前記コイルの端面と前記露出コア部との間に介在される枠部とを有するリアクトル用ボビンであって、
一方の露出コア部側に配される第一枠部を含む第一分割片と、他方の露出コア部側に配される第二枠部を含む第二分割片とを含む複数の分割片を組み合わせてなり、
各分割片は、組み合わされる分割片同士を係合する係合部を備え、
組み合わされる分割片に備わる係合部はそれぞれ、組み合わされる分割片同士を前記筒部の軸方向に分離する力が加えられたとき、互いに当接し合うことで、その力に抗する係合面を有することを特徴とするリアクトル用ボビン。
【請求項２】
前記第一分割片と第二分割片の２つの分割片からなり、
前記第一分割片は、第一枠部に加えて前記筒部の一部を含み、
前記第二分割片は、第二枠部に加えて当該筒部の残部を含むことを特徴とする請求項１に記載のリアクトル用ボビン。
【請求項３】
前記係合部は、前記筒部の周方向に凹凸を有することを特徴とする請求項１または２に記載のリアクトル用ボビン。
【請求項４】
前記係合部は、前記筒部の厚み方向に凹凸を有することを特徴とする請求項１〜３のいずれか一項に記載のリアクトル用ボビン。
【請求項５】
各分割片は、樹脂と、この樹脂中に分散されるフィラーとからなり、
前記フィラーは、前記樹脂よりも高い熱伝導性を有することを特徴とする請求項１〜４のいずれか一項に記載のリアクトル用ボビン。
【請求項６】
互いに並列状態に連結される一対のコイルと、各コイルに覆われる内側コア部及び各コイルに覆われることなく露出する露出コア部を有する環状コアとを備えるリアクトルであって、
請求項１〜５のいずれか一項に記載のリアクトル用ボビンにより、環状コアとコイルとの絶縁を確保したことを特徴とするリアクトル。
【発明の詳細な説明】
【技術分野】
【０００１】
本発明は、インバータにおける平滑化回路や、直流電流の昇圧回路などの構成部品であるリアクトルに用いられるリアクトル用ボビン、およびこのリアクトル用ボビンを用いたリアクトルに関するものである。
【背景技術】
【０００２】
種々の電気回路に使用されるリアクトルとして、例えば、特許文献１に記載のような構成を備えるリアクトルが知られている。このリアクトルは、互いに並列状態に連結される一対のコイルと、これらコイルに嵌め込まれる環状コアとを備える。環状コアは、各コイルの内部に配される部分であって、各コイルに覆われる２つの内側コア部と、各コイルに覆われることなく露出する２つの露出コア部とに区分できる。また、このようなリアクトルには、通常、環状コアと両コイルとの絶縁を確保するリアクトル用ボビンが用いられる。リアクトル用ボビンは、内側コア部の外周を覆う２つの筒部と、両コイルの一端面と一方の露出コア部との間、および両コイルの他端面と他方の露出コア部との間に介在される２つの枠部とに分けることができる。
【先行技術文献】
【特許文献】
【０００３】
【特許文献１】特開２００８−２８３１３号公報
【発明の概要】
【発明が解決しようとする課題】
【０００４】
上記構成を備えるリアクトルでは、コイルの両端面がそれぞれリアクトル用ボビンの両枠部に接触しているため、コイルの熱膨張やスプリングバックなどによって両枠部が互いに離れる方向に押される。この枠部は露出コア部にも接触しているため、コイルにより枠部を介して露出コア部も押されることになるので、露出コア部が内側コア部から分離してしまう恐れがある。その分離を防止する対策としては、例えば、リアクトルをケース内に収納し、一方の露出コア部とケースの内壁面との間に板ばねを配置して、他方の露出コア部をケースの別の内壁面に押し付け、両露出コア部の分解を抑制することが行われている。その他、２つの露出コア部を相対的に固定する固定部材により、露出コア部の分解を抑制することも提案されている。
【０００５】
上述したように、従来のリアクトルでは、リアクトルの性能に直接関係のない部材により露出コア部の分解を抑制している。このような部材は、リアクトルの部品点数の低減、組み立て作業性の改善の観点から、省略することが望まれているものの、そのような構成は現在のところ提案されていない。
【０００６】
本発明は、上記事情に鑑みてなされたものであり、その目的の一つは、露出コア部の分解を抑制することができる機能を持たせたリアクトル用ボビン、およびこのリアクトル用ボビンを用いたリアクトルを提供することにある。
【課題を解決するための手段】
【０００７】
本発明リアクトル用ボビンは、互いに並列状態に連結される一対のコイルと、各コイルに覆われる内側コア部及び各コイルに覆われることなく露出する露出コア部を有する環状コアとを備えるリアクトルに用いられて、環状コアとコイルとの絶縁を確保するリアクトル用ボビンであり、前記内側コア部の外周を覆う筒部と、前記コイルの端面と前記露出コア部との間に介在される枠部とを有するリアクトル用ボビンである。この本発明リアクトル用ボビンは、一方の露出コア部側に配される第一枠部を含む第一分割片と、他方の露出コア部側に配される第二枠部を含む第二分割片とを含む複数の分割片を組み合わせてなる。そして、各分割片は、組み合わされる分割片同士を係合する係合部を備え、組み合わされる分割片に備わる係合部はそれぞれ、組み合わされる分割片同士を前記筒部の軸方向に分離する力が加えられたとき、互いに当接し合うことで、その力に抗する係合面を有することを特徴とする。
【０００８】
上記構成によれば、係合部の係合面同士の引っ掛かりにより、組み合わされる分割片同士が、リアクトル用ボビンの筒部の軸方向に分離することを抑制することができる。筒部の軸方向はコイルの軸方向（スプリングバック時、熱膨張時のコイルの伸長方向）に一致するので、筒部の軸方向への分離が抑制されたリアクトル用ボビンは、このリアクトル用ボビンに備わる第一枠部と第二枠部によりコイルの伸長を物理的に押さえ込むことができる。
【０００９】
また、本発明リアクトルは、互いに並列状態に連結される一対のコイルと、各コイルに覆われる内側コア部及び各コイルに覆われることなく露出する露出コア部を有する環状コアとを備えるリアクトルであって、上記本発明リアクトル用ボビンにより、環状コアとコイルとの絶縁を確保したリアクトルである。
【００１０】
上記本発明リアクトルでは、本発明リアクトル用ボビンにより、コイルの伸長が押さえ込まれているので、露出コア部に作用するコイルの伸長の応力を大幅に低減することができる。そのため、本発明リアクトルにおいては、露出コア部の分解を抑制するための部材を省略することもできる。
【００１１】
以下、本発明リアクトル用ボビンを詳しく説明する。
【００１２】
リアクトル用ボビンを構成する分割片は、第一分割片と第二分割片の２つとしても良いし、これら分割片とは別の分割片を含む３つ以上としても良い。
【００１３】
例えば、分割片を２つとする場合、第一分割片は、第一枠部に加えて筒部の一部を含むようにし、第二分割片は、第二枠部に加えて当該筒部の残部を含むようにすると良い。その他、第一分割片（第二分割片）を第一枠部（第二枠部）と筒部とで構成し、第二分割片（第一分割片）を第二枠部（第一枠部）のみで構成しても良い。分割片の数を最小とすると、両分割片の作製が容易となるし、両分割片の組み立ても容易になる。
【００１４】
次に、分割片を３つ以上とする場合を説明する。例えば、分割片を３つとする場合、第一分割片を第一枠部と筒部の一部（第一枠部側の部分）とで構成し、第二分割片を第二枠部と筒部の一部（第二枠部側の部分）とで構成し、筒部の残りを第三分割片とする。その他、第一枠部と第二枠部をそれぞれ第一分割片と第二分割片とし、筒部全体を第三分割片としても良い。これらの構成は、第三分割片を、第一分割片と第二分割片とで挟み込むことでリアクトル用ボビンに組み立てられる構成である。
【００１５】
次に、分割片に設けられる係合部について説明する。係合部は、組み合わされる分割片同士が、筒部の軸方向に分離しないように分割片同士を係合するためのものであり、その形状は特に限定されない。例えば、後述する実施形態１の図２，３に示すように、筒部の周方向への凹凸により係合部を形成することが挙げられる。その他、後述する実施形態２の図４（Ｂ）に示すように、筒部の厚み方向への凹凸により係合部を形成しても良い。いずれの場合であっても、凹凸により係合部に形成される複数の周縁面（係合部の輪郭線に接する係合部の厚み方向に延びる面）のうち、筒部の軸に交差する周縁面が、係合される分割片の分離に抗する係合面となる。これら係合部と係合面は、実施形態に詳述する。
【００１６】
また、リアクトル用ボビンを構成する各分割片を構成する材料としては、絶縁性および耐熱性に優れた樹脂を使用することが好ましい。特に、各分割片を、樹脂と、この樹脂中に分散されるフィラーとから構成することが好ましい。この場合、フィラーは、絶縁性で樹脂よりも高い熱伝導性を有するものを使用すると良い。
【発明の効果】
【００１７】
本発明リアクトル用ボビンによれば、並列される一対のコイルに環状コアを嵌め込んだリアクトルにおいて、コイルの伸長に起因する環状コアの分解を抑制することができる。
【図面の簡単な説明】
【００１８】
【図１】実施形態１に係るリアクトルの斜視図である。
【図２】実施形態１に係るリアクトルの分解斜視図である。
【図３】（Ａ）は実施形態１に係るリアクトルに用いられるリアクトル用ボビンの概略斜視図、（Ｂ）は（Ａ）の上面分解図である。
【図４】（Ａ）は実施形態２に係るリアクトル用ボビンの斜視図、（Ｂ）は（Ａ）のリアクトル用ボビンの係合部の部分拡大断面図である。
【図５】実施形態３に係るリアクトル用ボビンの斜視図である。
【図６】（Ａ）は実施形態４に係るリアクトル用ボビンの分解縦断面図、（Ｂ）は（Ａ）のリアクトル用ボビンの係合部の部分拡大断面図である。
【図７】（Ａ）は実施形態５に係るリアクトル用ボビンの分解縦断面図、（Ｂ）は（Ａ）のリアクトル用ボビンの係合部の部分拡大断面図である。
【発明を実施するための形態】
【００１９】
＜実施形態１＞
≪リアクトルの全体構成≫
図１および図２に示すリアクトル１００は、並列される一対のコイル３１，３２を有するコイル部材３と、両コイル３１，３２に嵌め込まれる環状コア４と、コイル部材３と環状コア４との間に介在され、両者の絶縁を確実にするリアクトル用ボビン１，１´とを備える。本発明のリアクトル１００は、リアクトル用ボビン１，１´の形態に主たる特徴を有するものであり、リアクトル１００を構成するコイル部材３および環状コア４の基本的な構成は従来と共通である。以下、まずコイル部材３と環状コア４について簡単に説明し、次いでリアクトル用ボビン１，１´について詳しく説明する。
【００２０】
（コイル部材）
図１，２に示すように、コイル部材３は、絶縁被覆を有する平角銅線（巻線）を螺旋状にエッジワイズ状に巻回して構成されるコイル３１とコイル３２を互いに並列状態に配することで形成される。コイル３１とコイル３２は、互いに同一巻数で、軸方向から見た形状がほぼ矩形であり、接合部のない一本の巻線で構成されている。具体的には、コイル部材３の一端面側において、巻線の始端と終端が紙面上方に引き出され、コイル部材３の他端面側において、巻線をヘアピン状に屈曲した連絡部３３を介してコイル３１とコイル３２とが連結されている。なお、図１，２とは異なり、２つのコイルを別個に作製し、各コイルの端部同士を溶接や冷間圧接などで連結することでコイル部材を作製しても良い。
【００２１】
（コア）
環状コア４は、コイル３１，３２が配置される内側コア部４１，４２と、コイル３１，３２に覆われずに露出する露出コア部４３，４４とを有する（主に図２を参照）。内側コア部４１，４２は並列して設けられ、その一方側の端部同士が一つの露出コア部４３で接続されると共に、内側コア部４１，４２の他方の端部同士が別の露出コア部４４で接続されている。つまり、２つの内側コア部４１，４２と２つの露出コア部４３，４４とが環状に繋がることで環状コア４が形成されている。
【００２２】
（リアクトル用ボビン）
リアクトル用ボビン１（１´）は、概略矩形の挿入孔を有するフランジ付き配管のような部材であって、筒部Ｃ（Ｃ）と枠部Ｆ１，Ｆ２（Ｆ１，Ｆ２）とに分けることができる。筒部Ｃ（Ｃ）は、内側コア部４１（４２）とコイル３１（３２）との間に介在され、内側コア部４１（４２）とコイル３１（３２）とを絶縁すると共に、両者の相対的な位置を規定する。また、枠部Ｆ１，Ｆ２（Ｆ１，Ｆ２）は、コイル３１（３２）の端面と露出コア部４３，４４との間に介在され、コイル３１（３２）と露出コア部４３，４４とを絶縁する。
【００２３】
なお、図示するリアクトル用ボビン１，１´と異なり、一つのリアクトル用ボビンを利用することもできる。その場合、露出コア部４３側と露出コア部４４側に一つずつ枠部を設けて、両枠部を繋ぐように二つの筒部を並列させたリアクトル用ボビンとなる。
【００２４】
次に、リアクトル用ボビン１，１´の特徴となる構成について詳細に説明する。両リアクトル用ボビン１，１´の基本的構成は同じであるので、以降の説明ではリアクトル用ボビン１のみを説明する。
【００２５】
リアクトル用ボビン１は、図３に示すように、第一分割片１１と第二分割片１２の二つの分割片を組み合わせることで形成される。第一分割片１１（第二分割片１２）は、第一枠部Ｆ１（第二枠部Ｆ２）と、筒部Ｃをその軸方向に凡そ半分に分割した筒部Ｃ１（筒部Ｃ２）とからなる。これら分割片１１，１２にはそれぞれ、複数の係合部１１０，１２０が形成されており、係合部１１０，１２０同士の係合により、両分割片１１，１２が筒部Ｃの軸方向に分離しないようになっている。ここで、リアクトルに組み付けたリアクトル用ボビン１は、基本的に外されることはないため、容易に分割片１１，１２に分離できなくても何ら支障はない。
【００２６】
係合部１１０と係合部１２０は、相補的な形状となっている。具体的には、係合部１１０（１２０）の形状は、第二分割片１２（第一分割片１１）の周方向に隣接する係合部１２０，１２０（１１０，１１０）間に形作られる切り欠きの形状に一致する。
【００２７】
次に、各係合部１１０，１２０をより具体的に説明する。まず、係合部１１０は、筒部Ｃ１の端部で筒部Ｃ１の周方向に形成される凹凸により形作られる。係合部１１０は、第一枠部Ｆ１側から幅の等しい胴部と、胴部に連続する頭部とからなる。頭部の胴部側の幅は、胴部よりも広くなっており、頭部と胴部との間に段差が形成されている。また、頭部の幅は、矢じりのように、胴部側から先端側に向かって先細りになっている。頭部の最先端の幅は、胴部の幅以下とすることが好ましい。このような形状の係合部１１０には、複数の周縁面（係合部の輪郭線に接する係合部の厚み方向に延びる面）が形成されることになる。それら周縁面のうち、特に、頭部と胴部との段差の位置にある周縁面を、本実施形態では係合面１１１と呼ぶ。この係合面１１１は、筒部Ｃ１の軸に直交する面であって、後述するように係合部１２０の係合面１２２に当接する。
【００２８】
次に、係合部１２０は、筒部Ｃ２の端部で筒部Ｃ２の周方向に形成される凹凸により形作られる。係合部１２０も、胴部と、胴部に連続する頭部とからなり、胴部と頭部との間に段差が形成されている。胴部の幅は、第二枠部Ｆ２側から先端側に向かって徐徐に狭くなり、頭部の幅は一様になっている。胴部の根元側の幅は、頭部の幅以下とすることが好ましい。このような形状の係合部１２０においても、係合部１１０と同様に、複数の周縁面が形成されることになる。それら周縁面のうち、特に、頭部と胴部との段差の位置にある周縁面を、本実施形態では係合面１２２と呼ぶ。この係合面１２２は、筒部Ｃ２の軸に直交する面であって、前述の係合部１１０の係合面１１１に当接する。
【００２９】
上述した係合部１１０，１２０によれば、円滑に分割片１１，１２を組み合わせることができる。係合部１１０の頭部は、先細りになっているので、係合部１２０，１２０の頭部間の隙間に入り込み易い。また、係合部の１２０を嵌め込む係合部１１０，１１０の頭部間の隙間は、頭部の先端側が最も広くなっているので、係合部１２０の頭部は、当該隙間に入り込み易い。
【００３０】
また、係合部１１０と係合部１２０とを係合させれば、係合面１１１と係合面１２２とが当接した状態になる。係合面１１１と係合面１２２とは、筒部Ｃの軸方向に両分割片１１，１２を引き離す方向に力を加えたときに、互いに引っ掛かって、両分割片１１，１２の分離を抑制する。その結果、分割片１１，１２の枠部Ｆ１，Ｆ２の間に配されるコイルの伸長を押さえ込むことができる。
【００３１】
なお、係合面１１１，１２２は、筒部Ｃの軸に直交する面でなくても良い。例えば、係合面１１１，１２２を、胴部に向かうに従って頭部側に切れ上がるように形成すると、釣り針の返しのように、分割片１１，１２の係合をより強固にできる。
【００３２】
以上の構成を備えるリアクトル用ボビン１は、金型内に樹脂材料を充填する射出成形により製造することができる。その場合、第一分割片１１と第二分割片１２のそれぞれに対応する金型を使用しても良いし、リアクトル用ボビン１の全体形状に対応する金型を使用しても良い。後者の場合、金型から外したリアクトル用ボビン１を筒部Ｃで切断することで、両分割片１１，１２を作製する。その他、第一枠部Ｆ１（第二分割片１２）と筒部Ｃ１（Ｃ２）とを別個に作製し、両者を接合することで第一分割片１１（第二分割片１２）を作製しても良い。この場合、枠部と筒部とが容易に分離しないように、熱融着やネジ止めなどの強力な接合手段で枠部と筒部を接合する。
【００３３】
リアクトル用ボビン１に使用される樹脂材料としては、絶縁性に優れ、かつリアクトルの使用温度に対して軟化しない耐熱性を有する材料が好ましい。例えば、ポリフェニレンスルファイド、液晶ポリマー、エポキシなどが挙げられる。また、樹脂材料中に、フィラーを分散させておくことが好ましい。フィラーは、樹脂でできたリアクトル用ボビン１の熱伝導性を高め、リアクトルを動作させたときに環状コアで発生する熱を効率よくリアクトルの外部に放出させるためのものである。このような役割を持つフィラーの材質としては、樹脂材料よりも熱伝導性に優れるシリカやアルミナなどを挙げることができる。
【００３４】
≪リアクトルの組み立て≫
次に、図２を参照して、リアクトル１００の組み立て方法を説明する。
【００３５】
本例では、環状コア４の内側コア部４１，４２を形成するために複数のブロック状コア片と複数のギャップ板、および、露出コア部４３，４４を形成するための一対の端部コア片を用意する。ブロック状コア片、端部コア片は、磁性粉末の圧粉成形体や電磁鋼板の積層体などで構成でき、ギャップ板はアルミナなどの非磁性材で構成できる。
【００３６】
まず、ギャップ板を介在させて複数のブロック状コア片を接合し、内側コア部４１，４２を形成する。コア片とギャップ板を幾つ使用するかは、環状コア４に要求される磁気特性により適宜決定すれば良い。
【００３７】
次に、コイル３１の一端側からコイル３１の内部にリアクトル用ボビン１の第二分割片１２の筒部Ｃ２を嵌め込むと共に、筒部Ｃ２の内部に内側コア部４１を嵌め込む。そして、コイル３１の他端側からコイルの内部に第一分割片１１を嵌め込み、第一分割片１１と第二分割片１２とを係合させる。係合された両分割片１１，１２は、筒部Ｃの軸方向に容易に分解しないので、第一分割片１１の第一枠部Ｆ１と第二分割片１２の第二枠部Ｆ２とで、コイルのスプリングバックを押さえ込むことができる。なお、コイル３１にリアクトル用ボビン１を組み付けた後に、内側コア部４１をリアクトル用ボビン１の内部に配置しても良いし、コイル３１に先に嵌め込む分割片は、第一分割片１１であっても良い。
【００３８】
リアクトル用ボビン１´についてもリアクトル用ボビン１と同様に、コイル３２と内側コア部４２に組み付けることができ、その結果、コイル３２のスプリングバックなどによる伸長を押さえ込むことができる。
【００３９】
次いで、両リアクトル用ボビン１，１´を挟むように、一対の端部コア片（露出コア部４３，４４）を配置し、これら露出コア部４３，４４を内側コア部４１，４２の端面に耐熱性の接着剤で接合する。これら内側コア部４１，４２と露出コア部４３，４４とで環状のコア４が形成され、リアクトル１００が完成する。
【００４０】
以上のようにして作製したリアクトル１００は、リアクトル用ボビン１，１´によりコイル３１，３２の伸長が押さえ込まれている。そのため、接着剤で内側コア部４１，４２に接合された露出コア部４３，４４が内側コア部４１，４２から分離することを抑制する部材を設ける必要がなくなる。
【００４１】
＜実施形態２＞
実施形態２では、図４に基づいて実施形態１とは異なるリアクトル用ボビン２を説明する。
【００４２】
図４（Ａ）に示されるリアクトル用ボビン２は、実施形態１と同様に、第一枠部Ｆ１と筒部Ｃ１とを備える第一分割片２１と、第二枠部Ｆ２と筒部Ｃ２を備える第二分割片２２の２つの分割片からなる。但し、図４（Ｂ）の部分拡大断面図に示すように、両分割片２１，２２同士を係合させる係合部２１０，２２０は、筒部Ｃ１，Ｃ２の厚み方向の凹凸により形成されている。
【００４３】
本例における係合部２１０，２２０の係合も、実施形態１と同様に、矢じりのように形成された係合部２２０と、その係合部２２０の外形に一致する係合部２１０との係合により行われる。そして、係合部２１０に形成される筒部Ｃの軸方向に直交する係合面２１１と、係合部２２０に形成される筒部Ｃの軸方向に直交する係合面２２２とが互いに当接することで、第一分割片２１と第二分割片２２とが筒部Ｃの軸方向に分解しないように係合される。
【００４４】
ここで、係合部２１０，２２０は、互いに係合させたときに、図４（Ｂ）の二点差線で示すように、厚みの一様な筒部Ｃとなるように厚みを調節することが好ましい。
【００４５】
以上説明した実施形態２の構成によっても、分割片２１，２２の分離を抑制することができるので、分割片２１，２２からなるリアクトル用ボビン２によりコイルの伸長を押さえ込み、環状コアの分解を抑制できる。
【００４６】
＜実施形態３＞
実施形態３では、図５に基づいて実施形態１，２とは異なるリアクトル用ボビン５を説明する。
【００４７】
リアクトル用ボビン５は、第一分割片５１と第二分割片５２と第三分割片５３の３つの分割片からなる。第一分割片５１（第二分割片５２）は、第一枠部Ｆ１（第二枠部Ｆ２）と、筒部Ｃを３つに区分したうちの一つである筒部Ｃ１（Ｃ２）とからなる。また、第三分割片５３は、筒部Ｃを３つに区分したうちの中間の筒部Ｃ３からなる。なお、図５に示す各分割片５１，５２，５３同士の係合は、実施形態２に示した筒部Ｃの厚み方向の凹凸で形成された係合部同士の係合で行っているが、実施形態１に示した筒部の周方向の凹凸で形成された係合部同士の係合で行っても良い。
【００４８】
実施形態３のリアクトル用ボビン５によれば、第三分割片５３の軸方向長さが長いので、リアクトルを組み立てる際、筒部Ｃ内に内側コア部を配置し易い。例えば、第三分割片５３の内部に内側コア部を挿入すると共に、当該分割片５３の外部にコイルを嵌め込み、その状態から第一分割片５１と第二分割片５２とで第三分割片５３を挟み込むことで、リアクトル用ボビン５をコイルと内側コア部に容易に組み付けることができる。
【００４９】
＜実施形態４＞
実施形態４では、図６に基づいて実施形態１〜３とは異なるリアクトル用ボビン６を説明する。
【００５０】
リアクトル用ボビン６は、第一枠部Ｆ１でできた第一分割片６１と、第二枠部Ｆ２でできた第二分割片６２と、筒部Ｃでできた第三分割片６３の３つの分割片からなる。
【００５１】
第一分割片６１と第三分割片６３との係合は、第三分割片６３の軸方向端部から突出するように設けられた係合部６３０と、第一分割片６１の厚み方向への貫通孔により形成された係合部６１０とで行われる。係合部６３０は、筒部Ｃの厚み方向への凹凸により形成される段差を備え、この段差により筒部Ｃの軸方向に直交する係合面６３３が形成される。一方、係合部６１０は、貫通孔の内周面において、枠部Ｆ１の平面方向（筒部Ｃの厚み方向）への凹凸により形成される段差を備え、この段差により筒部Ｃの軸方向に直交する係合面６１１が形成される。
【００５２】
上記構成によれば、第三分割片６３の突起状の係合部６３０を、第一分割片６１の孔状の係合部６１０に押し込めば、係合面６１１と係合面６３３とが当接して、両分割片６１，６３を筒部Ｃの軸方向に分離しないように係合することができる。
【００５３】
なお、第二分割片６２と第三分割片６３との係合は、第一分割片６１と第三分割片６３との係合と同様であるので、その説明を省略する。
【００５４】
実施形態４のリアクトル用ボビン６によれば、実施形態３のリアクトル用ボビンと同様に、リアクトルを組み立てる際に、筒部Ｃ（第三分割片６３）の内部に内側コア部を配置し易い。
【００５５】
＜実施形態５＞
実施形態５では、図７に基づいて実施形態４とは異なるリアクトル用ボビン７を説明する。
【００５６】
リアクトル用ボビン７は、第一枠部Ｆ１でできた第一分割片７１と、第二枠部Ｆ２でできた第二分割片７２と、筒部Ｃでできた第三分割片７３の３つの分割片からなる。
【００５７】
第一分割片７１と第三分割片７３との係合は、第一分割片７１の端面から突出するように設けられた係合部７１０と、第三分割片７３の外周縁部を筒部Ｃの厚み方向に切り欠くことで形成された係合部７３０とで行われる。この係合部７１０は、第一枠部Ｆ１の平面方向（筒部Ｃの厚み方向）への凹凸により形成される段差を備え、この段差により筒部Ｃの軸方向に直交する係合面７１１が形成される。一方、係合部７３０は、筒部Ｃの厚み方向への凹凸により形成される段差を備え、この段差により筒部Ｃの軸方向に直交する係合面７３３が形成される。
【００５８】
上記構成によれば、第一分割片７１の突起状の係合部７１０を、第三分割片７３の切り欠き状の係合部７３０に押し込めば、係合面７１１と係合面７３３とが当接して、両分割片７１，７３を筒部Ｃの軸方向に分離しないように係合することができる。
【００５９】
なお、第二分割片７２と第三分割片７３との係合は、第一分割片７１と第三分割片７３との係合と同様であるので、その説明を省略する。
【００６０】
実施形態５のリアクトル用ボビン７によれば、実施形態３，４のリアクトル用ボビンと同様に、リアクトルを組み立てる際に、筒部Ｃ（第三分割片７３）の内部に内側コア部を配置し易い。
【００６１】
＜変形実施形態＞
その他、係合部を筒部の周方向の一部にしか設けない場合、筒部の軸方向と直交する方向に組み合わせた分割片がズレることがあるので、その位置ズレを防止する構成を分割片に構築しても良い。例えば、実施形態１の図３（Ａ）において、筒部Ｃの両側面側にのみ係合部を設ける場合、筒部Ｃの上下面方向には分割片１１，１２はズレないが、両側面方向には分割片１１，１２がズレてしまう恐れがある。そこで、例えば、筒部Ｃの両側面側に設けられる係合部１１０の頭部先端の端面において、その端面の厚み方向の中間部で端面の厚みよりも薄い厚みを有する突条を設ける。そして、当該係合部１１０に対向する第二分割片１２の端面（係合部１２０，１２０間の切り欠き底部の端面）に、前記突条に嵌合する凹溝を設ける。この構成であれば、分割片１１，１２の紙面厚み方向への位置ズレを防止できる。
【００６２】
なお、本発明は、上述した実施形態に限定されるわけではなく、本発明の要旨を逸脱しない範囲で適宜変更可能である。例えば、実施形態１の係合部の数を少なくしても良いし、実施形態２の係合部は、筒部の周面の一部にのみ形成しても良い。その他、筒部に、その内外周に貫通する開口を設け、樹脂量削減とリアクトル用ボビンの軽量化を図っても良い。
【産業上の利用可能性】
【００６３】
本発明リアクトル用ボビンは、種々の電気機器に搭載されるリアクトルにおいてコイルと環状コアとの間を絶縁する部材として好適に利用可能である。
【符号の説明】
【００６４】
１００  リアクトル
１，１´  リアクトル用ボビン
Ｆ１  第一枠部  Ｆ２  第二枠部  Ｃ，Ｃ１，Ｃ２  筒部
１１  第一分割片  １２  第二分割片
１１０，１２０  係合部
１１１，１２２  係合面
３  コイル部材
３１，３２  コイル  ３３  連絡部
４  環状コア
４１，４２  内側コア部  ４３，４４  露出コア部
２，５，６，７  リアクトル用ボビン
２１，５１，６１，７１  第一分割片  ２２，５２，６２，７２  第二分割片
５３，６３，７３  第三分割片
Ｃ３  筒部
２１０，２２０，６１０，６３０，７１０，７３０  係合部
２１１，２２２，６１１，６３３，７１１，７３３  係合面
【図１】
2011198847.tif 000003
【図２】
2011198847.tif 000004
【図３】
2011198847.tif 000005
【図４】
2011198847.tif 000006
【図５】
2011198847.tif 000007
【図６】
2011198847.tif 000008
【図７】
2011198847.tif 000009